(57)【要約】【課題】光学部材と表示パネルとの間が離間することで光学部材に皺が発生することを防止ないし抑制することが可能な表示装置を提供すること。【解決手段】液晶表示装置１０は、ＬＥＤと、ＬＥＤの光を利用して表示を行う液晶パネル１１と、液晶パネル１１に対してその表示面側とは反対側の面と当接して配された光学シート群１５と、少なくとも底板部１４ａを有し、光学シート群１５に対して液晶パネル１１側とは反対側に配されたシャーシ１４と、底板部１４ａ上に配され、底板部１４ａ上から光学シート群１５側に向かって突出するとともに、その先端が導光板１６を介して光学シート群１５の少なくとも中央部を支持することで、光学シートと液晶パネル１１とを表示面側に湾曲させた形で保持する第１の突出部材３１と、を備える。【選択図】図７
2013222029.tif 000002
【特許請求の範囲】
【請求項１】
光源と、
前記光源の光を利用して表示を行う表示パネルと、
前記表示パネルに対してその表示面側とは反対側の面と当接して配された光学部材と、
少なくとも底板を有し、前記光学部材に対して前記表示パネル側とは反対側に配されたシャーシと、
前記底板上に配され、該底板上から前記光学部材側に向かって突出するとともに、その先端が前記光学部材の少なくとも中央部を支持することで、前記光学部材と前記表示パネルとを前記表示面側に湾曲させた形で保持する第１の突出部材と、
を備える表示装置。
【請求項２】
前記底板上の前記第１の突出部材が配された部位よりも該底板の側端部側に配され、該底板上から前記光学部材側に向かって突出するとともに、その突出する高さが前記第１の突出部材よりも低いものとされた第２の突出部材をさらに備える、請求項１に記載の表示装置。
【請求項３】
複数の前記第２の突出部材を備え、その各々の突出する高さが前記第１の突出部材から離れるにつれて低くなるものとされた、請求項２に記載の表示装置。
【請求項４】
前記第１の突出部材の高さが５ｍｍ以内とされた、請求項３に記載の表示装置。
【請求項５】
複数の前記第２の突出部材は、前記第１の突出部材を対称中心として前記底板上に対称配置された、請求項３又は請求項４に記載の表示装置。
【請求項６】
前記対称配置された一対の前記第２の突出部材は、その突出する高さが等しいものとされた請求項５に記載の表示装置。
【請求項７】
前記底板が長方形状とされ、
前記第１の突出部材と前記第２の突出部材とが前記底板の長辺方向に沿って延在するものとされた、請求項２から請求項６のいずれか１項に記載の表示装置。
【請求項８】
前記底板が長方形状とされ、
前記第１の突出部材と前記第２の突出部材とが前記底板の短辺方向に沿って延在するものとされた、請求項２から請求項６のいずれか１項に記載の表示装置。
【請求項９】
前記第１の突出部材と前記第２の突出部材とがブロック状をなすとともに、前記底板上に点在するものとされた、請求項２から請求項６のいずれか１項に記載の表示装置。
【請求項１０】
前記第１の突出部位の先端に頂面が設けられ、前記頂面によって前記光学部材の中央部が支持された、請求項１から請求項９のいずれか１項に記載の表示装置。
【請求項１１】
前記光学部材は、前記表示パネルと当接する光学シートと、該光学シートの前記表示パネル側とは反対側に配され、その端面が前記光源と対向して配されるとともに、前記光源からの光を前記表示パネル側に導光する導光板と、該導光板と前記底板との間に配され、該導光板から漏れた光を該導光板側へ反射する反射シートと、を含み、
前記第１の突出部材は、前記反射シートの少なくとも中央部と当接することで該反射シートを介して前記導光板と前記光学シートとの少なくとも中央部を支持する、請求項１から請求項１０のいずれか１項に記載の表示装置。
【請求項１２】
前記表示パネルの前記表示面側に配され、前記シャーシとの間で少なくとも前記表示パネルと前記光源とを挟み込む形で収容するフレームをさらに備える、請求項１から請求項１１のいずれか１項に記載の表示装置。
【請求項１３】
前記表示パネルが液晶を用いた液晶パネルである、請求項１から請求項１２のいずれか１項に記載の表示装置。
【請求項１４】
請求項１から請求項１３のいずれか１項に記載の表示装置を備える、テレビ受信装置。
【発明の詳細な説明】
【技術分野】
【０００１】
本発明は、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてのバックライト装置を必要としている。
【０００３】
大型のテレビ受信装置等に用いられる液晶表示装置では、大型の液晶パネルが用いられる。このような大型の液晶パネルを備える液晶表示装置では、液晶パネルがその自重等によって撓むことがある。特許文献１に、大型の液晶パネルを備える液晶表示装置において、液晶パネルが撓むことを防止できる技術が開示されている。特許文献１に開示された液晶表示装置では、液晶パネルの表示面側とは反対側（バックライト装置側）に透明補強板を配設することで、液晶表示装置が液晶パネルの表示面と平行に載置された場合に、液晶パネルの自重等によって液晶パネルが表示面側とは反対側に撓むことを防止している。
【先行技術文献】
【特許文献】
【０００４】
【特許文献１】特開２００４−１８４８６１号公報
【発明の概要】
【発明が解決しようとする課題】
【０００５】
ところで、液晶表示装置がテレビ受信装置等に用いられる場合、液晶表示装置は縦向きとされた状態で平面上に載置されることとなる。この場合、大型の液晶パネルにおいては、液晶パネルの自重等によって液晶パネルがその表示面側に撓むことがある。しかしながら、上記した特許文献１では、液晶パネルが表示面側とは反対側に撓むことは防止できるものの、液晶パネルが表示面側に撓むことを防止することができない。
【０００６】
ここで、近年製造コストの削減やさらなる薄型化などの要請から、液晶表示ユニットの外観部品である合成樹脂製のキャビネットを廃止することが検討されているが、このようなキャビネットを備えない液晶表示装置では、通常、液晶パネルとバックライト装置側に配設された光学シート等の光学部材との間に枠状部材等が配されておらず、液晶パネルと光学部材とが当接された構成となっている。このような構成では、上記のように液晶表示装置が縦向きで載置された場合に、液晶パネルがその自重によって表示面側に撓むことで液晶パネルと光学部材との間が離間してしまい、光学部材上に皺が発生する虞がある。光学部材上に皺が発生すると、液晶表示装置の光学特性が低下する。
【０００７】
本明細書では、上記の課題に鑑みて創作されたものである。本明細書では、光学部材と表示パネルとの間が離間することで光学部材に皺が発生することを防止ないし抑制することが可能な表示装置を提供することを目的とする。
【課題を解決するための手段】
【０００８】
本明細書で開示される技術は、光源と、前記光源の光を利用して表示を行う表示パネルと、前記表示パネルに対してその表示面側とは反対側の面と当接して配された光学部材と、少なくとも底板を有し、前記光学部材に対して前記表示パネル側とは反対側に配されたシャーシと、前記底板上に配され、該底板上から前記光学部材側に向かって突出するとともに、その先端が前記光学部材の少なくとも中央部を支持することで、前記光学部材と前記表示パネルとを前記表示面側に湾曲させた形で保持する第１の突出部材と、を備える表示装置に関する。
【０００９】
上記のような表示装置によれば、光学部材と表示パネルとが互いに当接した状態で第１の突出部材によって表示面側に予め湾曲された形で保持される。このため、表示装置が縦置き等された場合に重力の影響を受けたとしても、表示パネルは既に表示面側に湾曲して撓んだ状態となっていることから、さらに撓む余地が少なく、自重等によって表示パネルのみが表示面側に撓むことが防止ないし抑制される。その結果、表示パネルのみが表示面側に撓むことによって表示パネルが光学部材から離間することを防止ないし抑制することができ、光学部材と表示パネルとの間が離間することで光学部材に皺が発生することを防止ないし抑制することができる。
【００１０】
前記底板上の前記第１の突出部材が配された部位よりも該底板の側端部側に配され、該底板上から前記光学部材側に向かって突出するとともに、その突出する高さが前記第１の突出部材よりも低いものとされた第２の突出部材をさらに備えてもよい。
この構成によると、光学部材を湾曲させた状態で第２の突出部材の先端によって光学部材の側端側をさらに支持することができるので、第１の突出部材と第２の突出部材とによって光学部材と表示パネルとを安定して保持することができる。
【００１１】
複数の前記第２の突出部材を備え、その各々の突出する高さが前記第１の突出部材から離れるにつれて低くなるものとされてもよい。
この構成によると、導光板を湾曲させた状態で複数の第２の突出部位の先端によって導光板をさらに支持することができるので、光学部材と表示パネルとを一層安定して保持することができる。
【００１２】
前記第１の突出部材の高さが５ｍｍ以内とされてもよい。
表示パネルや光学部材が湾曲し過ぎると表示装置において良好な光学特性を確保し難いものとなる。上記の構成によると、表示パネルや光学部材が湾曲し過ぎないための具体的な構成を提供することができる。
【００１３】
複数の前記第２の突出部材は、前記第１の突出部材を対称中心として前記底板上に対称配置されてもよい。
この構成によると、光学部材と表示パネルとが湾曲する形状を、第１の突出部材によって支持される部位を中心として対称なものとすることができる。このため、第１の突出部材と第２の突出部材とによって光学部材を効果的に支持することができる。
【００１４】
前記対称配置された一対の前記第２の突出部材は、その突出する高さが等しいものとされてもよい。
この構成によると、第１の突出部材によって支持される部位を中心として対称形状で湾曲した光学部材において、光学部材の側端側が対称配置された一対の第２の突出部材の各々によって支持されるため、第１の突出部材と第２の突出部材とによって光学部材を効果的に支持することができる。
【００１５】
前記底板が長方形状とされ、前記第１の突出部材と前記第２の突出部材とが前記底板の長辺方向に沿って延在するものとされてもよい。
この構成によると、第１の突出部材と第２の突出部材とが底板の長辺方向に沿って延在することで、第１の突出部材と第２の突出部材によって光学部材を広い範囲で支持することができ、光学部材を安定して支持することができる。
【００１６】
前記底板が長方形状とされ、前記第１の突出部材と前記第２の突出部材とが前記底板の短辺方向に沿って延在するものとされてもよい。
この構成によると、第１の突出部材と第２の突出部材とが底板の短辺方向に沿って延在することで、第１の突出部材と第２の突出部材によって光学部材を広い範囲で支持することができ、光学部材を安定して支持することができる。
【００１７】
前記第１の突出部材と前記第２の突出部材とがブロック状をなすとともに、前記底板上に点在するものとされてもよい。
この構成によると、第１の突出部材と第２の突出部材とが底板上に点在することで、第１の突出部材と第２の突出部材によって光学部材を広い範囲で支持することができ、光学シートを安定して支持することができる。
【００１８】
前記第１の突出部位の先端に頂面が設けられ、前記頂面によって前記光学部材の中央部が支持されてもよい。
この構成によると、光学部材が面によって支持された状態となるので、光学部材を一層安定して支持することができる。
【００１９】
前記光学部材は、前記表示パネルと当接する光学シートと、該光学シートの前記表示パネル側とは反対側に配され、その端面が前記光源と対向して配されるとともに、前記光源からの光を前記表示パネル側に導光する導光板と、該導光板と前記底板との間に配され、該導光板から漏れた光を該導光板側へ反射する反射シートと、を含み、前記第１の突出部材は、前記反射シートの少なくとも中央部と当接することで該反射シートを介して前記導光板と前記光学シートとの少なくとも中央部を支持してもよい。
この構成によると、エッジライト型のバックライト装置を備える表示装置において、表示パネルが光学シートから離間することを防止ないし抑制することができ、光学シートに皺が発生することを防止ないし抑制することができる。
【００２０】
前記表示パネルの前記表示面側に配され、前記シャーシとの間で少なくとも前記表示パネルと前記光源とを挟み込む形で収容するフレームをさらに備えてもよい。
この構成によると、キャビネットを備えないタイプの表示装置において、表示パネルが光学部材から離間することを防止ないし抑制することができ、光学部材に皺が発生することを防止ないし抑制することができる。
【００２１】
本明細書で開示される技術では、上記表示パネルを、液晶を用いた液晶パネルとする表示装置も、新規で有用である。また、上記の表示装置を備えるテレビ受信装置も、新規で有用である。
【発明の効果】
【００２２】
本明細書で開示される技術によれば、光学部材と表示パネルとの間が離間することで光学部材に皺が発生することを防止ないし抑制することができる。
【図面の簡単な説明】
【００２３】
【図１】実施形態１に係るテレビ受信装置ＴＶ及び液晶表示ユニットＬＤＵの概略構成を示す分解斜視図
【図２】テレビ受信装置ＴＶ及び液晶表示装置１０の背面図
【図３】液晶表示装置１０をなす液晶表示ユニットＬＤＵの概略構成を示す分解斜視図
【図４】シャーシ１４を表側から視た斜視図
【図５】液晶表示装置１０の短辺方向に沿った断面構成を示す断面図
【図６】液晶表示装置１０の長辺方向に沿った断面構成を示す断面図
【図７】液晶表示装置１０を縦置きした場合の導光板１６、光学シート群１５、及び液晶パネル１１が湾曲した状態を示す側面図
【図８】実施形態２に係るシャーシ１１４を表側から視た斜視図
【図９】実施形態３に係るシャーシ２１４を表側から視た斜視図
【図１０】実施形態３の変形例に係るシャーシ３１４を表側から視た斜視図
【発明を実施するための形態】
【００２４】
＜実施形態１＞
図面を参照して実施形態１を説明する。本実施形態では、液晶表示装置（表示装置の一例）１０について例示する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とする。
【００２５】
テレビ受信装置ＴＶは、液晶表示ユニットＬＤＵと、液晶表示ユニットＬＤＵの裏面側（背面側）に取り付けられる各種基板ＰＷＢ，ＭＢ，ＣＴＢと、液晶表示ユニットＬＤＵの裏面側に各主基板ＰＷＢ，ＭＢ，ＣＴＢを覆う形で取り付けられるカバー部材ＣＶと、スタンドＳＴとを備えてなり、スタンドＳＴによって液晶表示ユニットＬＤＵの表示面を鉛直方向（Ｙ軸方向）に沿わせた状態で保持されている。本実施形態に係る液晶表示装置１０は、上記した構成のテレビ受信装置ＴＶから、少なくともテレビ信号を受信するための構成（メイン基板ＭＢのチューナー部など）を除いたものである。液晶表示ユニットＬＤＵは、図２に示すように、全体として横長の方形（矩形状、長手状）をなしており、表示パネルである液晶パネル１１と、外部光源であるバックライト装置１２とを備え、これらが液晶表示装置１０の外観と構成する外観部材であるフレーム１３及びシャーシ１４によって一体的に保持された構成となっている。なお、本実施形態に係るシャーシ１４は、外観部材の一部を構成するとともにバックライト装置１２の一部を構成している。
【００２６】
先に、液晶表示装置１０における裏面側の構成について説明する。液晶表示装置１０における裏側の外観を構成するシャーシ１４の裏面には、図２に示すように、Ｙ軸方向に沿って延在するスタンド取付部材ＳＴＡがＸ軸方向に離間した二つの位置に一対取り付けられている。これらスタンド取付部材ＳＴＡは、断面形状がシャーシ１４側の面が開口した略チャンネル型をなしており、シャーシ１４との間に保有される空間内にスタンドＳＴにおける一対の支柱部ＳＴｂが差し込まれるようになっている。なお、スタンド取付部材ＳＴＡ内の空間には、バックライト装置１２が有するＬＥＤ基板（光源基板の一例）１８に接続された配線部材（電線など）が通されるようになっている。スタンドＳＴは、Ｘ軸方向及びＺ軸方向に並行する台座部ＳＴａと、台座部ＳＴａからＹ軸方向に沿って立ち上がる一対の支柱部ＳＴｂとからなる。カバー部材ＣＶは、合成樹脂製とされており、一対のスタンド取付部材ＳＴＡをＸ軸方向について横切りつつもシャーシ１４の裏面における図２に示す下側約半分程度を覆う形で取り付けられている。このカバー部材ＣＶとシャーシ１４との間には、次述する各種基板ＰＷＢ，ＭＢ，ＣＴＢなどの部品を収容可能な部品収容空間が保有されている。
【００２７】
各種基板ＰＷＢ，ＭＢ，ＣＴＢには、図２に示すように、電源基板ＰＷＢ、メイン基板ＭＢ及びコントロール基板ＣＴＢが含まれている。電源基板ＰＷＢは、当該液晶表示装置１０の電力供給原ともいえるものであり、他の各基板ＭＢ，ＣＴＢ及びバックライト装置１２が有するＬＥＤ（光源の一例）１７などに駆動電力を供給することが可能とされる。従って、電源基板ＰＷＢが「ＬＥＤ１７を駆動するＬＥＤ駆動基板」を兼用しているといえる。メイン基板ＭＢは、テレビ信号を受信可能チューナー部と、受信したテレビ信号を画像処理する画像処理部（チューナー部共々図示せず）とを少なくとも有しており、処理した画像信号を次述するコントロール基板ＣＴＢへと出力可能とされる。なお、このメイン基板ＭＢは、当該液晶表示装置１０が図示しない外部の画像再生機器に接続されたときには、その画像再生機器からの画像信号が入力されるので、その画像信号を画像処理部にて処理してコントロール基板ＣＴＢへと出力可能とされる。コントロール基板ＣＴＢは、メイン基板から入力される画像信号を液晶駆動用の信号に変換し、その変換した液晶駆動用の信号を液晶パネル１１に供給する機能を有する。
【００２８】
液晶表示装置１０を構成する液晶表示ユニットＬＤＵは、図３に示すように、その主要な構成部品が、表側の外観を構成するフレーム１３と、裏側の外観を構成するシャーシ１４との間に保有される空間内に収容されてなるものとされる。フレーム１３及びシャーシ１４内に収容される主要な構成部品には、少なくとも、液晶パネル１１、光学シート群（光学部材の一例）１５、導光板（光学部材の一例）１６及びＬＥＤユニットＬＵが含まれている。このうち、液晶パネル１１、光学シート群１５及び導光板１６は、相互に積層された状態で、その表側のフレーム１３と裏側のシャーシ１４とによって挟み込まれる形となっており、後述するように液晶パネル１１の表示面１１ｃ側に湾曲した状態で保持されるようになっている。バックライト装置１２は、光学シート群１５、導光板１６、ＬＥＤユニットＬＵ及びシャーシ１４からなるものとされ、上記した液晶表示ユニットＬＤＵから液晶パネル１１及びフレーム１３を除いた構成とされる。バックライト装置１２をなすＬＥＤユニットＬＵは、フレーム１３及びシャーシ１４内において、導光板１６をその短辺方向（Ｙ軸方向）の両側方から挟み込む形で一対配されている。ＬＥＤユニットＬＵは、光源であるＬＥＤ１７と、ＬＥＤ１７が実装されるＬＥＤ基板１８と、ＬＥＤ基板１８が取り付けられる放熱部材（ヒートスプレッダ）１９とからなる。以下、各構成部品について説明する。
【００２９】
液晶パネル１１は、図３に示すように、平面に視て横長の方形（矩形状、長手状）をなしており、透光性に優れた一対のガラス製の基板１１ａ，１１ｂが所定のギャップを隔てた状態で貼り合わせられるとともに、両基板１１ａ，１１ｂ間に液晶が封入された構成とされる。一方の基板（アレイ基板）１１ｂには、互いに直交するソース配線とゲート配線とに接続されたスイッチング素子（例えばＴＦＴ）と、そのスイッチング素子に接続された画素電極、さらには配向膜等が設けられ、他方の基板（ＣＦ基板）１１ａには、Ｒ（赤色），Ｇ（緑色），Ｂ（青色）等の各着色部が所定配列で配置されたカラーフィルタや対向電極、さらには配向膜等が設けられている。この液晶パネル１１は、次述する光学シート群１５の表側に積層する形で載せられており、その裏側の面（裏側の偏光板の外面）が光学シート群１５に対して殆ど隙間無く密着している。これにより、液晶パネル１１と光学シート群１５との間に塵埃などが浸入するのが防止されている。液晶パネル１１における表示面１１ｃは、画面中央側にあって画像が表示可能な表示領域と、画面外周端側にあって表示領域の周りを取り囲む枠状（額縁状）をなる非表示領域とからなる。この液晶パネル１１は、液晶駆動用のドライバ部品やフレキシブル基板２６を介してコントロール基板ＣＴＢが接続されており、コントロール基板ＣＴＢから入力される信号に基づいてその表示面１１ｃにおける表示領域に画像が表示されるようになっている。なお、両基板１１ａ，１１ｂの外側にはそれぞれ偏光板（図示は省略する）が配されている。
【００３０】
光学シート群１５は、図３に示すように、液晶パネル１１と同様に平面に視て横長の方形状をなしており、その大きさ（短辺寸法及び長辺寸法）が液晶パネル１１と同等とされる。光学シート群１５は、後述する導光板１６の表側（光出射側）に積層する形で載せられていて上記した液晶パネル１１と導光板１６との間に挟み込まれた状態で配されている。光学シート群１５は、いずれもシート状をなすとともに３枚が相互に積層して配されている。具体的には、裏側（導光板１６側）から順に、拡散シート１５ａ、レンズシート（プリズムシート）１５ｂ、及び反射型偏光シート１５ｃからなるものとされる。そして、光学シート群１５のうち最も表側に配された反射型偏光シート１５ｃは、液晶パネル１１と当接した状態とされている。なお、３枚の各シート１５ａ，１５ｂ，１５ｃは、平面に視た大きさがほぼ同じ程度とされている。
【００３１】
導光板１６は、屈折率が空気よりも十分に高く且つほぼ透明な（透光性に優れた）合成樹脂材料（例えばＰＭＭＡなどのアクリル樹脂やポリカーボネートなど）からなり、撓むことが可能となっている。導光板１６は、図３に示すように、液晶パネル１１及び光学シート群１５と同様に平面に視て横長の方形状をなすとともに光学シート群１５よりも厚みが大きな板状をなしており、その主面における長辺方向がＸ軸方向と、短辺方向がＹ軸方向とそれぞれ一致し、且つ主面と直交する板厚方向がＺ軸方向と一致している。導光板１６は、光学シート群１５の裏側に積層しており、光学シート群１５とシャーシ１４とによってＺ軸方向について挟み込まれる形で配されている。また、導光板１６は、その短辺方向の両側方に配された一対のＬＥＤユニットＬＵによってＹ軸方向について挟み込まれる形で配されており、短辺方向についての両端部にＬＥＤ１７からの光がそれぞれ導入されるようになっている。そして、この導光板１６は、その短辺方向についての両端部から導入したＬＥＤ１７からの光を内部で伝搬させつつ光学シート群１５側（表側）に向くよう立ち上げて出射させる機能を有する。
【００３２】
この導光板１６の主面のうち、表側を向いた面（光学シート群１５との対向面）が内部の光を光学シート群１５及び液晶パネル１１に向けて出射させる光出射面１６ａとなっている。導光板１６における主面に対して隣り合う外周端面のうち、Ｘ軸方向に沿って長手状をなす長辺側の両端面（短辺方向についての両端部が有する両端面）は、それぞれＬＥＤ１７（ＬＥＤ基板１８）と所定の空間を空けて正対する形で対向状をなしており、これらがＬＥＤ１７から発せられた光が入射される一対の光入射面１６ｂとなっている。導光板１６における裏側、つまり光出射面１６ａとは反対側の反対面（シャーシ１４との対向面）１６ｃには、反射シート２０がそのほぼ全域を覆う形で設けられている。
【００３３】
反射シート２０は、シャーシ１４と導光板１６との間に挟み込まれた形で配されており、導光板１６の反対面１６ｃから裏側外部に出射した光を反射して表側へ立ち上げることが可能となっている。この反射シート２０は、合成樹脂製とされ、表面が光の反射性に優れた白色を呈するものとされる。反射シート２０は、その短辺寸法が導光板１６の短辺寸法よりも大きくなっており、その両端部が導光板１６の光入射面１６ｂよりもＬＥＤ１７寄りに突出して配されている。この反射シート２０における突出部位によってＬＥＤ１７からシャーシ１４側に向けて斜めに進行する光を効率的に反射して、導光板１６の光入射面１６ｂへと向かわせることが可能とされている。
【００３４】
次に、ＬＥＤユニットＬＵを構成するＬＥＤ１７、ＬＥＤ基板１８及び放熱部材１９の構成について順次に説明する。ＬＥＤユニットＬＵを構成するＬＥＤ１７は、ＬＥＤ基板１８に固着される基板部上にＬＥＤチップ（図示せず）を樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いたりすることができる。このＬＥＤ１７は、ＬＥＤ基板１８に対する実装面とは反対側の面（導光板１６の光入射面１６ｂと正対する対向面）が主発光面となる、いわゆる頂面発光型とされている。
【００３５】
ＬＥＤユニットＬＵを構成するＬＥＤ基板１８は、図３及び図５に示すように、導光板１６の長辺方向（Ｘ軸方向）に沿って延在する細長い板状をなしており、その主板面をＸ軸方向及びＺ軸方向に並行した姿勢、つまり導光板１６の光入射面１６ｂに並行した姿勢でフレーム１３及びシャーシ１４内に収容されている。ＬＥＤ基板１８の主板面であって内側、つまり導光板１６側を向いた面（導光板１６との対向面）には、上記した構成のＬＥＤ１７が複数実装されている。各ＬＥＤ１７は、ＬＥＤ基板１８上において、その長さ方向（Ｘ軸方向）に沿って所定の間隔を空けつつ一列に並列配置されており、その光軸がＹ軸方向とほぼ一致している。ＬＥＤ基板１８の基材は、例えばアルミニウム等の金属製とされ、その表面に絶縁層を介して金属膜からなる配線パターン（図示せず）が形成されている。なお、ＬＥＤ基板１８の基材に用いる材料としては、セラミック等の絶縁材料を用いることも可能である。
【００３６】
ＬＥＤユニットＬＵを構成する放熱部材１９は、例えばアルミニウムなどの熱伝導性に優れた金属製とされ、図５に示すように、ＬＥＤ基板１８が取り付けられる側面部１９ａと、シャーシ１４の板面に面接触される底面部１９ｂとを備え、これらが断面視略Ｌ字型の屈曲形状をなしている。放熱部材１９は、その長さ寸法が上記したＬＥＤ基板１８の長さ寸法とほぼ同じ程度の大きさとされている。放熱部材１９を構成する側面部１９ａは、底面部１９ｂから当該底面部１９ｂに対して垂直に立ち上がっており、ＬＥＤ基板１８の板面及び導光板１６の光入射面１６ｂに並行する板状をなすとともに、その長辺方向がＸ軸方向と、短辺方向がＺ軸方向と、厚さ方向がＹ軸方向とそれぞれ一致している。側面部１９ａのうち内側の板面、つまり導光板１６側を向いた板面には、ＬＥＤ基板１８が取り付けられている。側面部１９ａは、その長辺寸法がＬＥＤ基板１８の長辺寸法と概ね同等とされるものの、短辺寸法がＬＥＤ基板１８の短辺寸法よりも大きくなっている。側面部１９ａのうち外側の板面、つまりＬＥＤ基板１８が取り付けられる板面とは反対側の板面は、フレーム１３が有するネジ取付部２１と対向状をなしている。つまり、側面部１９ａは、フレーム１３のネジ取付部２１と導光板１６との間に介在する形で配されている。側面部１９ａは、次述する底面部１９ｂにおける外側の端部からＺ軸方向に沿って表側、つまりフレーム１３側に向けて立ち上がる形態とされている。
【００３７】
放熱部材１９を構成する底面部１９ｂは、図３及び図５に示すように、シャーシ１４の板面に並行する板状をなしており、その長辺方向がＸ軸方向と、短辺方向がＹ軸方向と、厚さ方向がＺ軸方向とそれぞれ一致している。底面部１９ｂは、底面部１９ｂにおける裏側の端部、つまりシャーシ１４側の端部からＹ軸方向に沿って外側、つまり導光板１６側とは反対側に向けて突出する形態とされている。底面部１９ｂは、その長辺寸法が側面部１９ａとほぼ同じとされる。底面部１９ｂのうち裏側の板面、つまりシャーシ１４側を向いた板面は、その全域がシャーシ１４の板面に対して面接触されている。その上で、底面部１９ｂのうち表側の板面、つまりシャーシ１４に対する接触面とは反対側の板面は、後述するフレーム１３が有するネジ取付部２１と対向状をなすとともにネジ取付部２１の突出端面に対して接触されている。これにより、ＬＥＤ１７から点灯に伴って生じた熱は、放熱部材１９を介して、シャーシ１４及びフレーム１３へと伝達されることで、液晶表示装置１０の外部へと効率的に放散されるようになっている。なお、底面部１９ｂは、ネジ取付部２１に対してネジ部材ＳＭによって取り付け状態に保持されるようになっている。
【００３８】
続いて、外観部材及び保持部材をなすフレーム１３及びシャーシ１４の構成について説明する。フレーム１３及びシャーシ１４は、いずれも例えばアルミニウムなどの金属製とされており、仮に合成樹脂製とした場合に比べると、機械的強度（剛性）及び熱伝導性がいずれも高くなっている。これらフレーム１３及びシャーシ１４は、図３に示すように、その短辺方向についての両端部（両長辺側端部）に対をなすＬＥＤユニットＬＵをそれぞれ収容しつつも、互いに積層配置された液晶パネル１１、光学シート群１５及び導光板１６を表側と裏側とから挟み込む形で収容するものとされる。
【００３９】
フレーム１３は、図３に示すように、液晶パネル１１の表示面１１ｃにおける表示領域を取り囲むよう、全体として横長の枠状をなしている。フレーム１３は、液晶パネル１１の表示面１１ｃに並行するとともに液晶パネル１１を表側から押さえるパネル押さえ部１３ａと、パネル押さえ部１３ａの外周側部分から裏側に向けて突出する側壁部１３ｂとからなり、断面形状が略Ｌ字型となっている。このうち、パネル押さえ部１３ａは、液晶パネル１１の外周側部分（非表示領域、額縁部分）に倣って横長の枠状をなすとともに液晶パネル１１の外周側部分をほぼ全周にわたって表側から押さえることが可能とされる。パネル押さえ部１３ａのうち表側を向いた外面（液晶パネル１１に対する対向面とは反対側の面）は、液晶パネル１１の表示面１１ｃと同じく液晶表示装置１０における表側外部に露出しており、液晶パネル１１の表示面１１ｃと共に液晶表示装置１０の正面を構成している。一方、側壁部１３ｂは、パネル押さえ部１３ａにおける外周側部分（詳しくは外周端部）から裏側に向けて突出する略角筒状をなしている。側壁部１３ｂは、内部に収容される液晶パネル１１、光学シート群１５、導光板１６及び各ＬＥＤユニットＬＵを全周にわたって取り囲むとともに、裏側のシャーシ１４をもほぼ全周にわたって取り囲むことが可能とされる。側壁部１３ｂは、液晶表示装置１０における周方向に沿った外面が、液晶表示装置１０における周方向外部に露出しており、液晶表示装置１０における天面、底面、両側面を構成している。
【００４０】
パネル押さえ部１３ａにおける側壁部１３ｂよりも内寄り（導光板１６寄り）の位置には、ネジ部材ＳＭが取り付けられるネジ取付部２１が一体形成されている。ネジ取付部２１は、パネル押さえ部１３ａの内面からＺ軸方向に沿って裏側に向けて突出するとともに、パネル押さえ部１３ａの各辺（Ｘ軸方向またはＹ軸方向）に沿って延在する横長な略ブロック状をなしている。ネジ取付部２１の先端には、裏側に開口する溝が設けられ、ネジ部材ＳＭを締め付けることが可能となっている。プリント基板２７には、その長辺方向に沿って複数のフレキシブル基板２６が間欠的に並んで配されるとともにその他方側の端部がそれぞれ接続されている。このプリント基板２７は、ＦＰＣの一端側が差し込まれて接続されるコネクタ部（ＦＰＣ共々図示せず）を有しており、このＦＰＣの他端側がシャーシ１４に形成されたＦＰＣ挿通孔（図示せず）を通してシャーシ１４の裏側外部に引き出されるとともにコントロール基板ＣＴＢに接続されている。
【００４１】
パネル押さえ部１３ａのうち、ネジ取付部２１よりも内寄りの位置に、導光板１６を表側（表示面１１ｃ側）から支持する当接リブ２３が一体形成されている。当接リブ２３は、パネル押さえ部１３ａの内面からＺ軸方向（ネジ取付部２１の突出方向）に沿って裏側（導光板１６側）に向けてそれぞれ突出するとともに、パネル押さえ部１３ａの各辺に沿って延在する細長い略ブロック状をなしている。当接リブ２３は、パネル押さえ部１３ａにおける各辺にそれぞれ設けられるとともにそれぞれが各辺の全長にわたる長さ寸法を有している。従って、当接リブ２３は、シャーシ１４との間で導光板１６を挟み込んだ状態で表側（表示面１１ｃ側）から支持することが可能とされ、導光板支持機能を有している。また、パネル押さえ部１３ａにおける内縁部には、図５及び図６に示すように、裏側、つまり液晶パネル１１側に突出する押さえ突起２４が一体形成されている。押さえ突起２４は、その突出先端面に緩衝材（図示せず）が取り付けられており、この緩衝材を介して液晶パネル１１を表側から押さえることが可能とされている。これら当接リブ２３及び押さえ突起２４によって、液晶パネル１１及び導光板１６は後述するように液晶パネル１１の表示面１１ｃ側に湾曲した状態で支持されている。
【００４２】
シャーシ１４は、図３に示すように、導光板１６及びＬＥＤユニットＬＵなどを裏側からほぼ全域にわたって覆うよう、全体として横長な略浅皿状をなしている。シャーシ１４は、導光板１６と同様に横長の方形状をなす底板部１４ａと、底板部１４ａにおける両長辺側端部からそれぞれ裏側に段差状に突出するとともにＬＥＤユニットＬＵを収容する一対のＬＥＤ収容部１４ｂとを有している。底板部１４ａは、図３及び図５に示すように、平板状をなしており、その長辺方向についての両端側部分は、図５に示すように、導光板１６の長辺方向についての両端部よりも外側にそれぞれ延出するとともに、フレーム１３とシャーシ１４とを組み付け状態に固定するためのネジ部材ＳＭが外部から装着される部位とされている。底板部１４ａの表面には、後述する複数の突出部材３１、３２が配されている。
【００４３】
ＬＥＤ収容部１４ｂは、図３及び図４に示すように、底板部１４ａをその短辺方向の両側から挟み込む形で配されるとともに、底板部１４ａよりも一段裏側に引っ込むことで、ＬＥＤユニットＬＵを収容可能とされる。ＬＥＤ収容部１４ｂは、底板部１４ａに並行するとともにネジ部材ＳＭが外部から装着される部位を有しており、その内側が底板部１４ａに連なっている。そして、ＬＥＤ収容部１４ｂにおけるネジ部材ＳＭが装着される部位には、その内面に対してＬＥＤユニットＬＵを構成する放熱部材１９の底面部１９ｂが面接触された状態で配されている。また、ＬＥＤ収容部１４ｂは、その外側が長辺側のネジ取付部２１と側壁部１３ｂとの間に有される隙間に挿入されることで、シャーシ１４をフレーム１３に対してＹ軸方向について位置決めする機能を有している。
【００４４】
続いて本実施形態の要部である、突出部材３１、３２の構成について説明する。上述したように、シャーシ１４を構成する底板部１４ａの表面には、底板部１４ａから表側（液晶パネル１１の表示面１１ｃ側）に向かって突出する７つの突出部材３１、３２が配されている。各突出部材３１、３２は、図４に示すように、それぞれＹ軸方向に所定の間隔を空けてＸ軸方向に延びる角注状をなしており、その延在する長さが底板部１４ａの長辺方向の長さよりわずかに短いものとされている。このうち底板部１４ａにおける短辺方向（Ｙ軸方向）の中央部に配された突出部材は第１の突出部材３１とされ、第１の突出部材３１よりもＹ軸方向両側に配された６つの突出部材はそれぞれ第２の突出部材３２とされている。第２の突出部材３２の各々は、第１の突出部材３１を対称中心として底板部１４ａ上に対称となるような間隔で配置されている。
【００４５】
角注状に延在する各突出部材３１、３２は、その表側に向けられた面（先端面）が、底板部１４ａの板面と平行な頂面３１ａ、３２ａとされている。各突出部材３１、３２のうち、第１の突出部材３１の断面は略正方形状とされ、第２の突出部材３２は、第１の突出部材３１から離れるに連れてその断面がＹ軸方向に横長の長方形状になるものとされる。即ち、各突出部材３１、３２のうち、第１の突出部材３１の突出する高さ（底板部１４ａと頂面部３１ａとの間の距離）が最も高いものとされ、第２の突出部材３２は、第１の突出部材３１から離れるに連れて（底板部１４ａの短辺方向（Ｙ軸方向）の両端側に近づくに連れて）、その突出する高さ（底板部１４ａと頂面部３２ａとの間の距離）が低くなるものとされている。また、第１の突出部材３１を対称中心として対称配置された第２の突出部材３２のうち、対をなす第２の突出部材３２は（本実施形態では対をなすものが三対配されている（図５参照））、それぞれ同じ高さとされている。なお、突出する高さが最も高い第１の突出部材３１の高さＷ１（底面部１４ａと頂面部３１ａとの間の距離）は、５ｍｍ以内とされている（図３参照）。
【００４６】
図５に示すように、第１の突出部材３１の頂面３１ａ上には、反射シート２０の中央部が当接しており、これにより第１の突出部材３１によって反射シート２０が支持されている。また、反射シート２０が第１の突出部材３１によって支持されることで、反射シート２０を介して反射シート２０の表側に配された導光板１６の中央部１６ＣＥ（図５参照）、光学シート群１５の中央部、液晶パネル１１の中央部についても第１の突出部材３１によってそれぞれ支持された形となっている。さらに、上記のように第２の突出部材３２は第１の突出部材３１から離れるに連れてその高さが低くなっており、反射シート２０はその中央部から底板部１４ａの短辺方向（Ｙ軸方向）の両端部に向かうに連れて、第２の突出部材３２の高さが次第に低くなるのに応じて底板部１４ａ側に撓んだ状態で支持されている。つまり、反射シート２０は、その中央部が第１の突出部材３１の頂面部３１ａよりも液晶パネル１１の表示面１１ｃ側に位置するとともに、そのＹ軸方向両端部が第１の突出部材３１の頂面部３１ａよりも底板部１４ａ側に位置しており、全体として視ると液晶パネル１１の表示面１１ｃ側に湾曲した状態となっている。そして、反射シート２０の表側に配された導光板１６、光学シート群１５、液晶パネル１１についても、中央部から底板部１４ａの短辺方向（Ｙ軸方向）の両端部に向かうに連れて底板部１４ａ側に撓んだものとされている。即ち、反射シート２０、導光板１６、光学シート群１５、及び液晶パネル１１の各部材は、側面に視てＹ軸方向に沿って液晶パネル１１の表示面１１ｃ側に湾曲した状態で保持されている（図７参照）。なお、この状態において、フレーム１３を構成するパネル押さえ部１３ａは、液晶パネル１１の表示面１１ｃ側に湾曲しており、同じく湾曲した状態の液晶パネル１１を弾性的に保持している。一方、フレーム１３を構成する側壁部１３ｂは、液晶表示装置１０の表裏方向に沿って真っ直ぐに延びるものとされている。
【００４７】
さて、液晶表示装置１０が上記のような構成とされていることにより、光学シート群１５及び液晶パネル１１は互いに当接した状態で、上記のように液晶パネル１１の表示面１１ｃ側に湾曲した姿勢となっている。ここで、液晶表示装置１０がテレビ受信装置ＴＶ（図１参照）として用いられる場合には、液晶表示装置１０は縦置き状態とされるが、この場合において液晶パネル１１に重力の影響が及んだとしても、図７に示すように、既に液晶パネル１１の表示面１１ｃ側に撓んだ状態となっているので、さらに撓む余地は少なく、液晶パネル１１が撓むことが防止ないし抑制される。このため、液晶表示装置１０が縦置きされた状態で液晶パネル１１に重力の影響が及んだとしても、液晶パネル１１がその表示面１１ｃ側に撓むことに起因して液晶パネル１１と光学シート群１５との間が離間することが防止ないし抑制される構成となっている。その結果、本実施形態のようにキャビネットを備えないタイプの液晶表示装置１０において、液晶表示装置１０が縦置き状態とされた場合であっても、光学シート群１５と液晶パネル１１とが当接した状態を保持させることができ、良好な光学特性を維持することができる。
【００４８】
以上のように本実施形態に係る液晶表示装置１０では、光学シート群１５と液晶パネル１１とが互いに当接した状態で第１の突出部材３１によって液晶パネル１１の表示面１１ｃ側に予め湾曲された形で保持される。このため、液晶表示装置１０が縦置き等された場合に重力の影響を受けたとしても、液晶パネル１１は既に表示面１１ｃ側に湾曲して撓んだ状態となっていることから、さらに撓む余地が少なく、自重によって液晶パネル１１のみが表示面１１ｃ側に撓むことが防止ないし抑制される。その結果、液晶パネル１１のみが表示面１１ｃ側に撓むことによって液晶パネル１１が光学シート群１５から離間することを防止ないし抑制することができ、光学シート群１５と液晶パネル１１との間が離間することで光学シート群１５に皺が発生することを防止ないし抑制することができる。
【００４９】
また、本実施形態に係る液晶表示装置１０では、シャーシ１４の底板部１４ａ上において第１の突出部材３１が配された部位よりも底板部１４ａの側端部側に配され、底板部１４ａ上から光学シート群１５側に向かって突出するとともに、その突出する高さが第１の突出部材３１よりも低いものとされた複数の第２の突出部材３２をさらに備えている。そして、複数第２の突出部材３２は、その各々の突出する高さが第１の突出部材３１から離れるにつれて低くなるものとされている。これにより、光学シート群１５を湾曲させた状態で各第２の突出部材３２の先端によって光学シート群１５の側端側をさらに支持することができるので、第１の突出部材３１と第２の突出部材３２とによって光学シート群１５と液晶パネル１１とを安定して保持することができる。
【００５０】
また、本実施形態に係る液晶表示装置１０では、第１の突出部材３１と第１の突出部材３１から最も離れて配された第２の突出部材３２との高さの差が５ｍｍ以内とされている。ここで、液晶パネル１１や光学シート群１５が湾曲し過ぎると液晶表示装置１０において良好な光学特性を確保し難いものとなる。本実施形態の構成によると、液晶パネル１１や光学シート群１５が湾曲し過ぎないための具体的な構成を提供することができる。
【００５１】
また、本実施形態に係る液晶表示装置１０では、複数の第２の突出部材３２が、第１の突出部材３１を対称中心として底板部１４ａ上に対称配置されている。さらに、対称配置された一対の第２の突出部材３２は、その突出する高さが等しいものとされている。このため、光学シート群１５と液晶パネル１１とが湾曲する形状を、第１の突出部材３１によって支持される部位を中心として対称なものとすることができる。さらに、第１の突出部材３１によって支持される部位を中心として対称形状で湾曲した光学シート群１５において、光学シート群１５の側端側が対称配置された一対の第２の突出部材３２の各々によって支持されることとなるため、第１の突出部材３１と第２の突出部材３２とによって光学シート群１５を効果的に支持することができる。
【００５２】
また、本実施形態に係る液晶表示装置１０では、シャーシ１４の底板部１４ａが長方形状とされ、第１の突出部材３１と第２の突出部材３２とが底板部１４ａの長辺方向（Ｘ軸方向）に沿って延在するものとされている。これにより、第１の突出部材３１と第２の突出部材３２とによって導光板１６及び光学シート群１５を広い範囲で支持することができ、導光板１６及び光学シート群１５を安定して支持することができる。
【００５３】
また、本実施形態に係る液晶表示装置１０では、第１の突出部位３１の先端に頂面３１ａが設けられ、頂面３１ａによって導光板１６の中央部１６ＣＥ及び光学シート群１５の中央部が支持されている。これにより、導光板１６及び光学シート群１５が面によって支持された状態となるので、導光板１６及び光学シート群１５を一層安定して支持することができる。
【００５４】
＜実施形態２＞
図面を参照して実施形態２を説明する。実施形態２は、各突出部材１３１、１３２の延在する方向が実施形態１のものと異なっている。その他の構成については実施形態１のものと同様であるため、構造、作用、及び効果の説明は省略する。なお、図８において、図４の参照符号に数字１００を加えた部位は、実施形態１で説明した部位と同一である。
【００５５】
実施形態２に係る液晶表示装置では、図８に示すように、シャーシ１１４を構成する底板部１１４ａの表面に７つの突出部材１３１、１３２が配されている。各突出部材１３１、１３２は、図８に示すように、それぞれＸ軸方向に所定の間隔を空けてＹ軸方向に延びる角注状をなしており、その延在する長さが底板部１１４ａの短辺方向（Ｙ軸方向）の長さよりわずかに短いものとされている。即ち、各突出部材１３１、１３２は、実施形態１におけるものと直交する方向に延在するものとされている。このうち底板部１１４ａの長辺方向（Ｘ軸方向）の中央に配された突出部材は第１の突出部材１３１とされ、第１の突出部材１３１の両側に配された６つの突出部材は第２の突出部材１３２とされている。第２の突出部材１３２は、第１の突出部材１３１を対称中心として底板部１１４ａ上に対称配置されている。このような構成とされている場合、光学シート群及び液晶パネルはＸ軸方向に沿って湾曲した状態となる。このような構成とされている場合であっても、液晶パネル及び光学シート群がその表示面側に予め撓んだ状態となっているので、液晶パネルのみが表示面側に撓むことによって液晶パネルが光学シート群から離間することを防止ないし抑制することができ、光学シート群と液晶パネルとの間が離間することで光学シート群に皺が発生することを防止ないし抑制することができる。
【００５６】
＜実施形態３＞
図面を参照して実施形態３を説明する。実施形態３は、各突出部材２３１、２３２の形状が実施形態１、２のものと異なっている。その他の構成については実施形態１のものと同様であるため、構造、作用、及び効果の説明は省略する。なお、図９において、図４の参照符号に数字２００を加えた部位は、実施形態１で説明した部位と同一である。
【００５７】
実施形態３に係る液晶表示装置では、図９に示すように、シャーシ２１４を構成する底板部２１４ａ上に各突出部材２３１、２３２が点在する構成とされている。即ち、底板部２１４ａの中央部にブロック状をなす第１の突出部材２３１が配されており、第１の突出部材２３１を取り囲むようにブロック状をなす第２の突出部材２３２が規則的に配されたものとなっている。また、第２の突出部材２３２の高さは、実施形態１のものと同様に、第１の突出部材２３１から離れるに連れて低くなるものとなっている。このような構成とされている場合、光学シート群及び液晶パネルは、その表示面側に向かって半球状に湾曲した状態で保持される。このような構成とされている場合であっても、液晶パネル及び光学シート群がその表示面側に予め撓んだ状態となっているので、液晶パネルのみが表示面側に撓むことによって液晶パネルが光学シート群から離間することを防止ないし抑制することができ、光学シート群と液晶パネルとの間が離間することで光学シート群に皺が発生することを防止ないし抑制することができる。
【００５８】
＜実施形態３の変形例＞
続いて実施形態３の変形例について図１０を参照して説明する。変形例は、液晶表示装置を構成するバックライト装置が直下型である点で実施形態３のものと異なっている。その他の構成については実施形態３のものと同様であるため、構造、作用、及び効果の説明は省略する。なお、図１０において、図９の参照符号に数字１００を加えた部位は、実施形態１で説明した部位と同一である。
【００５９】
変形例に係る液晶表示装置は、導光板を備えておらず、図１０に示すように、シャーシ３１４の底板部３１４ａ上に複数枚のＬＥＤ基板３１８が配されている。各ＬＥＤ基板３１８は、各突出部材３３１、３３２の間に配されており、各ＬＥＤ基板３１８上には、その光出射面を表側に向けた形で複数のＬＥＤ３１７が実装されている。即ち、変形例に係る液晶表示装置は、液晶パネルに対してその背面から光を直接供給する直下型のバックライト装置を備えている。このような構成とされている場合、第１の突出部材３３１の頂面３３１ａが光学シート群の中央部と直接当接して、これにより、光学シート群及び液晶パネルがその表示面側に向かって半球状に湾曲した状態で保持されることとなる。このように直下型の液晶表示装置とされている場合であっても、光学シート群及び液晶パネル予め湾曲させた状態で保持することができ、液晶パネルが光学シート群から離間することを防止ないし抑制することができる。
【００６０】
上記の各実施形態の変形例を以下に列挙する。
（１）上記の各実施形態では、各突出部材がＸ軸方向又はＹ軸方向に沿って延在、又はブロック状に点在する構成を例示したが、各突出部材の形状や延在する方向については限定されない。
【００６１】
（２）上記の各実施形態では、第２の突出部材が第１の突出部材を対称中心として対称配置されている構成を例示したが、第２の突出部材の配置態様は限定されない。
【００６２】
（３）上記の各実施形態では、液晶パネル及び光学シート群が第１の突出部材のみによって支持された構成を例示したが、液晶パネル及び光学シート群が第１の突出部材及び少なくとも一つの第２の突出部材とによって支持された構成であってもよい。
【００６３】
（４）上記の各実施形態では、キャビネットを備えないタイプの液晶表示装置を例示したが、キャビネットを備えるタイプの液晶表示装置であってもよい。
【００６４】
（５）上記の各実施形態以外にも、各突出部材の材質、形状、配置等については、適宜に変更可能である。
【００６５】
（６）上記の各実施形態では、表示パネルとして液晶パネルを用いた液晶表示装置を例示したが、他の種類の表示パネルを用いた表示装置にも本発明は適用可能である。
【００６６】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００６７】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６８】
ＴＶ…テレビ受信装置、ＬＤＵ…液晶表示ユニット、ＰＷＢ…電源基板、ＭＢ…メイン基板、ＣＴＢ…コントロール基板、ＣＶ…カバー部材、ＳＴ…スタンド、ＬＵ…ＬＥＤユニット、１０…液晶表示装置、１１…液晶パネル、１２…バックライト装置、１３…フレーム、１４、１１４、２１４、３１４…シャーシ、１４ａ、１１４ａ、２１４ａ、３１４ａ…底板部、１４ｂ、１１４ｂ、２１４ｂ、３１４ｂ…ＬＥＤ収容部、１５…光学部材、１６…導光板、１７…ＬＥＤ、１８…ＬＥＤ基板、２０…反射シート、３１、１３１、２３１、３３１…第１の突出部材、３２，１３２，２３２，３３２…第２の突出部材
【図１】
2013222029.tif 000003
【図２】
2013222029.tif 000004
【図３】
2013222029.tif 000005
【図４】
2013222029.tif 000006
【図５】
2013222029.tif 000007
【図６】
2013222029.tif 000008
【図７】
2013222029.tif 000009
【図８】
2013222029.tif 000010
【図９】
2013222029.tif 000011
【図１０】
2013222029.tif 000012